(57)【要約】【課題】装置単体で、プロファイルの設定項目の保存・再設定を容易に行ない、他装置の設定内容に容易に合わせるプラント監視装置を提供する。【解決手段】プラントデータ入力手段１００と、オペレータによりプラントの監視を行うための状態情報としてのプロファイルが設定され当該プロファイルに従いプラントの監視を行なうプラント監視手段１０１と、前記オペレータが必要な情報を入力するための入力手段４０と、前記オペレータが必要な情報を出力するための出力手段４１と、前記オペレータが前記入力手段により要求したとき、前記プロファイルを他の外部プロファイルデータとして保存するエクスポート手段２０１とを有し、前記オペレータによる前記入力手段からの要求により、複数のプロファイルをマージし、当該マージした結果を他の外部プロファイルデータとして保存するマージ手段２０５を有することを特徴とする。【選択図】      図１
2005044109.tif 000002
【特許請求の範囲】
【請求項１】
プラントからの各種状態量を読み込むプラントデータ入力手段と、
オペレータによりプラントの監視を行うための状態情報としてのプロファイルが設定され、当該プロファイルに従いプラントの監視を行なうプラント監視手段と、
前記オペレータが必要な情報を入力するための入力手段と、
前記オペレータが必要な情報を出力するための出力手段と、
前記オペレータが前記入力手段により要求したとき、前記プロファイルを他の外部プロファイルデータとして保存するエクスポート手段と、
を有するプラント監視装置において、
前記オペレータによる前記入力手段からの要求により、複数のプロファイルをマージし、当該マージした結果を他の外部プロファイルデータとして保存するマージ手段を有することを特徴とするプラント監視装置。
【請求項２】
プラントからの各種状態量を読み込むプラントデータ入力手段と、
オペレータによりプラントの監視を行うための状態情報としてのプロファイルが設定され、当該プロファイルに従いプラントの監視を行なうプラント監視手段と、
前記オペレータが必要な情報を入力するための入力手段と、
前記オペレータが必要な情報を出力するための出力手段と、
前記オペレータが前記入力手段により要求したとき、前記プロファイルを他の外部プロファイルデータとして保存するエクスポート手段と、
を有するプラント監視装置において、
前記オペレータによる前記入力手段からの要求により、複数のプロファイルの差分を抽出し、当該抽出した結果を他の外部プロファイルデータとして保存する差分抽出手段を有することを特徴とするプラント監視装置。
【請求項３】
プラントからの各種状態量を読み込むプラントデータ入力手段と、
オペレータによりプラントの監視を行うための状態情報としてのプロファイルが設定され、当該プロファイルに従いプラントの監視を行なうプラント監視手段と、
前記オペレータが必要な情報を入力するための入力手段と、
前記オペレータが必要な情報を出力するための出力手段と、
前記オペレータが前記入力手段により要求したとき、前記プロファイルを他の外部プロファイルデータとして保存するエクスポート手段と、
を有するプラント監視装置において、
前記オペレータによる前記入力手段からの要求により、デフォルトで設定されたプロファイルに代えて、各オペレータが使いやすい内容を個別プロファイルとして設定する個別プロファイル手段を有することを特徴とするプラント監視装置。
【請求項４】
請求項３記載のプラント監視装置において、前記個別プロファイルに各オペレータが許可された範囲のみを設定することができる個人認証手段を有することを特徴とするプラント監視装置。
【請求項５】
プラントからの各種状態量を読み込むプラントデータ入力手段と、
オペレータによりプラントの監視を行うための状態情報としてのプロファイルが設定され、当該プロファイルに従いプラントの監視を行なうプラント監視手段と、
前記オペレータが必要な情報を入力するための入力手段と、
前記オペレータが必要な情報を出力するための出力手段と、
前記オペレータが前記入力手段により要求したとき、前記プロファイルを他の外部プロファイルデータとして保存するエクスポート手段と、
を有するプラント監視装置において、
前記プロファイルが複数の装置に分散化され、それぞれの装置が個別に前記プロファイルを管理する場合に、前記オペレータによる前記入力手段からの要求により、自装置の前記プロファイルを他装置の前記プロファイルにコピーすることができる送信手段を有することを特徴とするプラント監視装置。
【請求項６】
請求項５記載のプラント監視装置において、前記オペレータによる前記入力手段からの要求により、他装置の前記プロファイルを自装置の前記プロファイルにコピーすることができる受信手段を有することを特徴とするプラント監視装置。
【請求項７】
プラントからの各種状態量を読み込むプラントデータ入力手段と、
オペレータによりプラントの監視を行うための状態情報としてのプロファイルが設定され、当該プロファイルに従いプラントの監視を行なうプラント監視手段と、
前記オペレータが必要な情報を入力するための入力手段と、
前記オペレータが必要な情報を出力するための出力手段と、
前記オペレータが前記入力手段により要求したとき、前記プロファイルを他の外部プロファイルデータとして保存するエクスポート手段と、
を有するプラント監視装置において、
前記プロファイルが複数の装置に分散化され、マスタプロファイルとして前記複数の装置からなるシステム全体で前記プロファイルを共通プロファイルとして管理する場合に、前記オペレータによる前記入力手段からの要求により、前記マスタプロファイルではなく、前記マスタプロファイルをベースとして各オペレータが使いやすい内容に前記マスタプロファイルを個別プロファイルとして設定するマスタプロファイルベース個別プロファイル手段を有することを特徴とするプラント監視装置。
【請求項８】
請求項７記載のプラント監視装置において、前記各オペレータが個別プロファイルを使用することでチェックインしたときに、運用中のマスタプロファイルとチェックインした個別プロファイルのベースとなっているマスタプロファイルをチェックするマスタプロファイルチェック手段を有することを特徴とするプラント監視装置。
【請求項９】
請求項８記載のプラント監視装置において、運用中の前記マスタプロファイルをベースとしていない個別プロファイルでチェックインしたときに、前記オペレータに対してその旨を通知する個人宛て通知手段を有することを特徴とするプラント監視装置。
【請求項１０】
請求項８記載のプラント監視装置において、運用中の前記マスタプロファイルをベースとしていない個別プロファイルでチェックインしたときに、システムの管理者に対してその旨を通知する管理者宛て通知手段を有することを特徴とするプラント監視装置。
【請求項１１】
請求項８記載のプラント監視装置において、運用中の前記マスタプロファイルが変更となったときに、個別プロファイルでチェックインしているオペレータに対し、その旨を通知するマスタプロファイル変更通知手段を有することを特徴とするプラント監視装置。
【発明の詳細な説明】
【０００１】
【発明の属する技術分野】
本発明は、オペレータが各監視機能に対して必要な設定を行い、この設定状態情報に従って各監視機能にて最適な監視を行なうことができるプラント監視装置に関する。
【０００２】
【従来の技術】
一般に、プラント監視装置においては、たとえば特許文献１にも示されるように、オペレータが、各監視機能に対して必要な設定を行い、この設定状態情報に従って各監視機能にてプラントの監視を行なうことができる。
【０００３】
以下、図８を参照してプラント監視装置の従来例について説明する。図８において、従来のプラント監視装置は、プラントからの各種状態量をプラント監視装置に読み込むプラントデータ入力手段９１０と、オペレータが予めプラントの監視を行うために各監視機能９２０にて設定したプロファイルＰｒと、プロファイルＰｒに従いプラントの監視を行なうプラント監視手段９３０と、オペレータが必要な情報を入力するための入力手段９４０と、オペレータが必要な情報を出力するための出力手段９５０とから構成されている。
【０００４】
このように構成されたプラント監視装置においては、オペレータが各監視機能に対して必要な設定を行い、この設定状態情報に従って各監視機能にて適切な監視を行なうものである。
【０００５】
【特許文献１】特開平１１−２６５２１０号
【発明が解決しようとする課題】
ところが、上記のプラント監視装置では、プロファイルＰｒを保存することができない。このため、プロファイルＰｒを過去の設定と同一にするために、プロファイルＰｒを個別に設定せざるを得ない。また、プロファイルＰｒの確認は、監視機能毎に行わなければならないし、プロファイルＰｒの調整（設定内容変更）も、各監視機能毎に調整を行わなければならない。上記のプラント監視装置では、複数のプロファイルＰｒの設定内容を複合させる場合に、プロファイルＰｒを各監視機能毎に新たに設定する必要があり、複数のプロファイルＰｒの設定内容の相違を確認する場合に、全てのプロファイルＰｒについて確認操作（チェック）をしなければならない。
【０００６】
また、上記のプラント監視装置では、各オペレータがおのおの使いやすいように、個別のプロファイルＰｒ（装置にもともと設定されたものでないプロファイル）の設定をすることができるようには構成されていない。この場合、各オペレータが、おのおの使いやすい個別設定を個別のプロファイルＰｒとして設定することを許してしまうと、各オペレータが全ての設定を変更できてしまい、かえって適切な監視ができない場合がある。
【０００７】
さらに、上記のプラント監視装置では、前記プロファイルが複数の装置に分散化され、それぞれの装置が個別にプロファイルＰｒを管理する場合において、他装置のプロファイルＰｒを自装置のプロファイルＰｒと同一の設定とするときには、当該他装置においても必要な設定を行なう必要があり、装置のプロファイルＰｒを他装置のプロファイルＰｒと同一の設定にするときは、自装置での必要な設定は当該自装置において行う必要がある。
【０００８】
またさらに、上記のプラント監視装置では、前記プロファイルが複数の装置に分散化され、マスタプロファイルＰｒとしてシステム全体でプロファイルＰｒを同一として管理する場合に、各オペレータがおのおの使いやすいように個別設定することができない。各オペレータがおのおの使いやすい個別設定を個別プロファイルＰｒとして設定する構成とした場合には、このままでは、運用中のマスタプロファイルＰｒの設定と、各オペレータの個別プロファイルＰｒのベースが異なっていることがわからない。
【０００９】
加えて、運用中のマスタプロファイルＰｒの設定と、各オペレータの個別プロファイルＰｒのベースが異なっているときは、各個人に通知することができないし、管理者に通知することができないし、各オペレータに通知することもできない。
【００１０】
本発明の目的は、オペレータが各監視機能に対して必要な設定を行い、この設定状態情報に従って各監視機能にて最適な監視を行なうことができるプラント監視装置を提供することにある。
【００１１】
【課題を解決するための手段】
本発明のプラント監視装置は、プラントからの各種状態量を読み込むプラントデータ入力手段と、オペレータによりプラントの監視を行うための状態情報としてのプロファイルが設定され、当該プロファイルに従いプラントの監視を行なうプラント監視手段と、前記オペレータが必要な情報を入力するための入力手段と、前記オペレータが必要な情報を出力するための出力手段と、前記オペレータが前記入力手段により要求したとき、前記プロファイルを他の外部プロファイルデータとして保存するエクスポート手段とを有するもので、前記オペレータによる前記入力手段からの要求により、複数のプロファイルをマージし、当該マージした結果を他の外部プロファイルデータとして保存するマージ手段を有することを特徴とする（以下、「本発明の第１態様」と言う）。
【００１２】
これにより、複数のプロファイルの設定内容を複合させる際、再設定する必要がある場合に、複数のプロファイルをマージし、マージした結果を他の外部データ（プロファイル）として保存することができる。
【００１３】
本発明のプラント監視装置は、プラントからの各種状態量を読み込むプラントデータ入力手段と、オペレータによりプラントの監視を行うための状態情報としてのプロファイルが設定され、当該プロファイルに従いプラントの監視を行なうプラント監視手段と、前記オペレータが必要な情報を入力するための入力手段と、前記オペレータが必要な情報を出力するための出力手段と、前記オペレータが前記入力手段により要求したとき、前記プロファイルを他の外部プロファイルデータとして保存するエクスポート手段とを有するもので、前記オペレータによる前記入力手段からの要求により、複数のプロファイルの差分を抽出し、当該抽出した結果を他の外部プロファイルデータとして保存する差分抽出手段を有することを特徴とする（以下、「本発明の第２態様」と言う）。
【００１４】
これにより、複数のプロファイルの設定内容の相違を確認する際、全て確認する必要がある場合に、複数のプロファイルの差分を抽出し、抽出した結果を他の外部データ（差分データ）として保存することができる。
【００１５】
本発明のプラント監視装置は、プラントからの各種状態量を読み込むプラントデータ入力手段と、オペレータによりプラントの監視を行うための状態情報としてのプロファイルが設定され、当該プロファイルに従いプラントの監視を行なうプラント監視手段と、前記オペレータが必要な情報を入力するための入力手段と、前記オペレータが必要な情報を出力するための出力手段と、前記オペレータが前記入力手段により要求したとき、前記プロファイルを他の外部プロファイルデータとして保存するエクスポート手段とを有するもので、前記オペレータによる前記入力手段からの要求により、デフォルトで設定されたプロファイルに代えて、各オペレータが使いやすい内容を個別プロファイルとして設定する個別プロファイル手段を有することができる（以下、「本発明の第３態様」と言う）。
【００１６】
これにより、オペレータが要求したときに、各オペレータが使いやすい内容を個別プロファイルとして設定することができる。
【００１７】
本発明の第３態様においては、前記個別プロファイルに各オペレータが許可された範囲のみを設定することができる個人認証手段を有することができる（以下、「本発明の第４態様」と言う）。これにより、オペレータが要求したとき、各オペレータが使いやすい内容に個別プロファイルとして設定を可能とした際、個別プロファイルに各オペレータが許可された範囲のみを設定することができる。
【００１８】
本発明のプラント監視装置は、プラントからの各種状態量を読み込むプラントデータ入力手段と、オペレータによりプラントの監視を行うための状態情報としてのプロファイルが設定され、当該プロファイルに従いプラントの監視を行なうプラント監視手段と、前記オペレータが必要な情報を入力するための入力手段と、前記オペレータが必要な情報を出力するための出力手段と、前記オペレータが前記入力手段により要求したとき、前記プロファイルを他の外部プロファイルデータとして保存するエクスポート手段とを有するもので、前記プロファイルが複数の装置に分散化され、それぞれの装置が個別に前記プロファイルを管理する場合に、前記オペレータによる前記入力手段からの要求により、自装置の前記プロファイルを他装置の前記プロファイルにコピーすることができる送信手段を有することができる（以下、「本発明の第５態様」と言う）。これにより、オペレータが要求したとき、自装置のプロファイルを他装置のプロファイルにコピーすることができる。
【００１９】
本発明の第５態様においては、前記オペレータによる前記入力手段からの要求により、他装置の前記プロファイルを自装置の前記プロファイルにコピーすることができる受信手段を有することができる（以下、「本発明の第６態様」と言う）。これにより、前記プロファイルが複数の装置に分散化され、それぞれの装置が個別にプロファイルを管理する場合に、他装置のプロファイルを自装置のプロファイルと同一の設定とする際、他装置にて必要な設定を行なう必要がある場合に、オペレータが要求したとき、他装置のプロファイルを自装置のプロファイルにコピーすることができる。
【００２０】
本発明のプラント監視装置は、プラントからの各種状態量を読み込むプラントデータ入力手段と、オペレータによりプラントの監視を行うための状態情報としてのプロファイルが設定され、当該プロファイルに従いプラントの監視を行なうプラント監視手段と、前記オペレータが必要な情報を入力するための入力手段と、前記オペレータが必要な情報を出力するための出力手段と、前記オペレータが前記入力手段により要求したとき、前記プロファイルを他の外部プロファイルデータとして保存するエクスポート手段とを有するもので、前記プロファイルが複数の装置に分散化され、マスタプロファイルとして前記複数の装置からなるシステム全体で前記プロファイルを共通プロファイルとして管理する場合に、前記オペレータによる前記入力手段からの要求により、前記マスタプロファイルではなく、前記マスタプロファイルをベースとして各オペレータが使いやすい内容に前記マスタプロファイルを個別プロファイルとして設定するマスタプロファイルベース個別プロファイル手段を有することができる（以下、「本発明の第７態様」と言う）。
【００２１】
これにより、前記プロファイルが複数の装置に分散化され、マスタプロファイルとしてシステム全体でプロファイルを同一として管理する場合に、マスタプロファイルではなく、マスタプロファイルをベースとし、各オペレータが使いやすい内容に個別プロファイルとして設定することができる。
【００２２】
本発明の第７態様においては、前記各オペレータが個別プロファイルを使用することでチェックインしたときに、運用中のマスタプロファイルとチェックインした個別プロファイルのベースとなっているマスタプロファイルをチェックするマスタプロファイルチェック手段を有することができる（以下、「本発明の第８態様」と言う）。これにより、このままでは運用中のマスタプロファイルの設定と、各オペレータの個別プロファイルのベースが異なっていることが判らないような場合であっても、オペレータが個別プロファイルを使用することで、チェックインしたときに、運用中のマスタプロファイルとチェックインした個別プロファイルのベースとなっているマスタプロファイルとのチェックを行うことができる。
【００２３】
本発明の第８態様においては、運用中の前記マスタプロファイルをベースとしていない個別プロファイルでチェックインしたときに、前記オペレータに対してその旨を通知する個人宛て通知手段を有することができる（以下、「本発明の第９態様」と言う）。これにより、このままでは運用中のマスタプロファイルの設定と、各オペレータの個別プロファイルのベースが異なっている際、各個人に通知することができないような場合であっても、オペレータが個別プロファイルを使用することでチェックインしたとき、運用中のマスタプロファイルをベースとしていない個別プロファイルでチェックインしたとき、オペレータに対し、通知することができる。
【００２４】
本発明の第８態様においては、運用中の前記マスタプロファイルをベースとしていない個別プロファイルでチェックインしたときに、システムの管理者に対してその旨を通知する管理者宛て通知手段を有することができる（以下、「本発明の第１０態様」と言う）。これにより、このままでは運用中のマスタプロファイルの設定と、各オペレータの個別プロファイルのベースが異なっている際、管理者に通知することができないような場合であっても、オペレータが個別プロファイルを使用することでチェックインしたとき、運用中のマスタプロファイルとチェックインした個別プロファイルのベースとなっているマスタプロファイルをチェックすることができる。
【００２５】
本発明の第８態様においては、運用中の前記マスタプロファイルが変更となったときに、個別プロファイルでチェックインしているオペレータに対し、その旨を通知するマスタプロファイル変更通知手段を有することができる（以下、「本発明の第１１態様」と言う）。これにより、このままでは運用中のマスタプロファイルが変更となった際、各オペレータに通知することができないような場合であっても、運用中のマスタプロファイルが変更となったとき、個別プロファイルにてチェックインしているオペレータに対し、通知することができる。
【００２６】
【発明の実施の形態】
以下、本発明に係るプラント監視装置の実施の形態について、図面を参照して説明する。本発明の第１態様，第２態様にかかる実施形態（第１実施形態）を、図１により説明する。
【００２７】
第１実施形態のプラント監視装置１Ａでは、基本構成部は、プラントデータ入力手段１００と、プロファイル格納手段１０と、プラント監視手段１０１と、入力手段４０と、出力手段４１と、エクスポート手段２０１と、インポート手段２０２とから構成されており、補助構成部は、複数のプロファイル格納手段１１，１２と、外部データ格納手段６０と、マージ手段２０５と、差分データ格納手段７０と、差分抽出手段２０６とから構成されている。なお、以下の実施形態において、プロファイル格納手段は複数設けられることがあるが、この場合にはプロファイル格納手段は単一であってもよい。
【００２８】
プラントデータ入力手段１００は、プラントからの各種状態量をプラント監視装置１Ａに読み込むことができる。プロファイル格納手段１０は、オペレータが予めプラントの監視を行うためにプラント監視手段１０１にて設定したプロファイルＰｒ（設定状態情報）を格納することができる。プラント監視手段１０１は、プロファイルＰｒに従いプラントの監視を行なうことができる。入力手段４０は、オペレータが必要な情報を入力することができる。出力手段４１はオペレータが必要な情報を出力することができる。エクスポート手段２０１は、オペレータが入力手段４０により要求したとき、プロファイルＰｒを他の外部データ（プロファイル）として外部データ格納手段６０に保存することができる。インポート手段２０２は、オペレータが入力手段４０により要求したとき、外部データ格納手段６０に格納されている他の外部データ（プロファイル）を、自装置のプロファイルＰｒとして設定することができる。
【００２９】
一方、マージ手段２０５は、オペレータの入力手段４０による要求により、複数のプロファイル格納手段１１，１２に格納されたプロファイルＰｒ１，Ｐｒ２をマージし、マージした結果を、外部データ格納手段６０に他の外部データ（プロファイル）として保存することができる。
また、差分抽出手段２０６は、オペレータの入力手段４０による要求により、２つのプロファイルＰｒ１，Ｐｒ２の差分を抽出し、抽出した結果を差分データ格納手段７０に差分データｄＰｒとして、保存することができる。
【００３０】
まず、基本構成部を以下に説明する。基本構成部は、プラントからの各種状態量をプラントデータ入力手段１００にて読み込み、オペレータが入力手段４０から要求を行なったとき、プラント監視手段１０１はプラントデータ入力手段１００にて読み込んだ情報を出力手段４１に出力し、オペレータはこの出力手段４１から出力された情報にてプラントの状態を監視することができる。
オペレータは、予めプラントの監視を行なうために、プラント監視手段１０１に対して最適な設定を行ない、この設定した内容はプロファイル格納手段１０として保存され、プラント監視手段１０１はプロファイル格納手段１０に従い出力手段４１に出力する。
【００３１】
ここで、オペレータが入力手段４０から要求を行なったとき、エクスポート手段２０１によりプロファイル格納手段１０を、外部データ格納手段６０に、他の外部データ（プロファイル）として保存するすることができる。また、オペレータが入力手段４０から要求を行なったとき、インポート手段２０２により、外部データ格納手段６０に格納された他の外部データ（プロファイル）をプロファイル格納手段１０に格納しこれを自装置のプロファイルＰｒとして設定することができる。
【００３２】
例えば、プラント監視装置１Ａには、プラントからの各種状態量を入力し、これを時間軸に沿って履歴データとして保存し、このデータを監視対象によりグループ化された項目単位で曲線表示するトレンドグラフ機能がある。
【００３３】
このトレンドグラフ機能の場合、プロファイル格納手段１０に設定する内容は、グループの名称、グループに登録されている項目、表示レンジ等がある。プラント起動、停止、定検時等のプラントの状態により、オペレータはプラントを監視するために最適な設定をプロファイル格納手段１０に設定するが、それそれの状態に対するプロファイル格納手段１０の保存および設定が容易となる。また、トレンドグラフ機能の他にも、プラント監視を行なうためのプラント監視手段１０１が複数あり、これらについてもプロファイルＰｒをグループ毎、機能毎、全機能一括等の単位で保存および設定をすることができる。
【００３４】
なお、外部データ格納手段６０は、例えば、自装置および他装置の記憶装置、自装置および他装置の外部記憶装置（ＦＤ、ＭＯ、ＣＤ、ＤＶＤ）等である。
【００３５】
この基本構成部では、プロファイル格納手段１０に格納されたプロファイルを、外部データ格納手段６０に他の外部データ（プロファイル）として保存することができるので、設定内容を覚えておくことなく外部データ格納手段６０に他の外部データ（プロファイル）として保存することができる。また、外部データ格納手段６０に格納されている他の外部データ（プロファイル）をプロファイル格納手段１０に取り込み、これを自装置のプロファイルＰｒとして設定することができるので、過去の設定と同一とするためのプロファイルＰｒの設定を容易にすることができる。
【００３６】
図１の補助構成部において、オペレータが入力手段４０から要求を行ったとき、マージ手段２０５により２つのプロファイルＰｒ１，Ｐｒ２をマージし、他の外部データ（プロファイル）として外部データ格納手段６０に格納することができる。また、オペレータが入力手段４０から要求を行ったとき、差分抽出手段２０６により２つのプロファイルＰｒ１，Ｐｒ２の差分を抽出し、他の差分データｄＰｒとして差分データ格納手段７０に格納することができる。
【００３７】
例えば、プラントを監視する目的毎（プラント状態等）に設定された２つのプロファイルＰｒ１，Ｐｒ２、あるいはオペレータ毎に設定された２つのプロファイルＰｒ１，Ｐｒ２等の設定内容をマージし、使いやすいプロファイルＰｒを容易に新しく作成することができる。
【００３８】
例えば、プロファイルＰｒ１，Ｐｒ２の設定内容の相違や、マージしたプロファイルＰｒの変更内容を出力手段４１により出力して容易に確認することができ、または、差分を抽出した結果（差分データｄＰｒ）を出力手段４１により出力して確認することができる。
【００３９】
第１実施形態によれば、複数のプロファイルのマージおよび差分を抽出することができるので、プロファイルＰｒを容易に設定できるとともに容易にその確認をすることができる。
【００４０】
次に、上記の基本構成部を変形した本発明の第３態様，第４態様にかかる第２実施形態を図２により説明する。
図２のプラント監視装置１Ｂは、プラント監視装置１Ａの基本構成部に、オペレータによる入力手段４０からの要求により、プロファイル格納手段１０の内容を出力手段４１に一覧出力することができる一覧出力手段２０３と、オペレータの入力手段４０による要求によりプロファイル格納手段１０に格納されたプロファイルＰｒの内容を出力手段４１に一覧出力し、当該プロファイルＰｒの内容を調整することができる調整手段２０４とが付加されている。
【００４１】
このように構成された変形例において、オペレータが入力手段４０から要求を行なったとき、一覧出力手段２０３によりプロファイル格納手段１０の内容を出力手段４１に一覧出力することができる。また、オペレータが、入力手段４０から要求を行なったとき、調整手段２０４によりプロファイル格納手段１０の内容を出力手段４１に一覧出力し、プロファイル格納手段１０に格納されたプロファイルＰｒの内容を調整することができる。
【００４２】
例えば、オペレータが入力手段４０から要求を行なったとき、一覧出力手段２０３、調整手段２０４は、複数のプラント監視手段１０１のプロファイルＰｒを、プラント監視手段１０１の設定単位（例えばグループ単位）、プラント監視手段１０１単位、複数のプラント監視手段１０１単位等で一覧出力すること、調整することができる。よって、プラント監視手段１０１単位だけでなく、プロファイルＰｒの設定内容の確認、調整ができる。
【００４３】
例えば、プロファイル格納手段１０の内容を初期化（設定内容のクリア）することもできる。調整手段２０４の画面例を図３および図４を参照して説明する。
【００４４】
図３に示すプロファイル調整（メニュー）画面３００は、調整手段２０４にて調整する項目を選択するメニュー画面である。ここでは、グループ選択（機能名およびグループを、プルダウンメニューＰＤＭ１，ＰＤＭ２により選択できる）、機能選択（機能名を、プルダウンメニューＰＤＭ３により選択できる）、一括選択（全機能選択）が可能である。プロファイル調整画面３００の表示ボタンＰＣＢを押すことによりプロファイル調整画面が表示できる。
【００４５】
図４に一括選択の場合のプロファイル調整画面３０１を示す。プロファイル調整画面３０１は、機能名、グループ番号、グループ名、登録点番号、登録点名、表示レンジ等が一覧表示され、調整可能な項目（グループ名、登録点番号、表示レンジ等）はオペレータが値を入力することができる。値を入力後、変更ボタンＲＢを押すことにより登録することができ、取消ボタンＣＢを押すことにより入力した値を破棄することができる。また、初期化ボタンＩＢを押すことにより、登録されているデータを初期化（クリア）することができる。
【００４６】
上記の変形例により、プロファイル格納手段１０を出力手段４１に一覧表示および一覧表示した内容の調整（設定内容変更）ができるので、プロファイル格納手段１０の確認および調整を容易にすることができる。
【００４７】
ここで、第２実施形態のプラント監視装置１Ｂの補助構成部は、個別プロファイル格納手段３０と、個別プロファイル手段２０７と、個人認証手段２０８とからなる。
【００４８】
個別プロファイル手段２０７は、オペレータによる入力手段４０からの要求により、装置のプロファイル格納手段１０ではなく、各オペレータが使いやすい内容を個別プロファイルＰｒ＿Ｉとして個別プロファイル格納手段３０に設定することができる。また、個人認証手段２０８は、個別プロファイル格納手段３０に格納される個別プロファイルＰｒ＿Ｉとして、各オペレータが許可された範囲のみを設定することができる。
【００４９】
このように構成された第２実施形態のプラント監視装置１Ｂにおいて、オペレータが入力手段４０から要求を行ったとき、個別プロファイル手段２０７により装置にデフォルトで設定されているプロファイルＰｒではなく、各オペレータが使いやすい内容を個別プロファイルＰｒ＿Ｉとして設定することができる。また、個人認証手段２０８により、各オペレータが許可された範囲のみを個別プロファイルＰｒ＿Ｉとして設定することができる。
【００５０】
例えば、装置のプロファイルＰｒを変更することなく、各オペレータが使いやすい個別設定（個別プロファイルＰｒ＿Ｉ）ができ、その設定にてプラントを監視することができる。よって、各オペレータの担当業務にあった設定ができる。
【００５１】
例えば、全てのオペレータが必ず監視しなければいけない項目は個別プロファイルＰｒ＿Ｉとして設定ができないという制限をかけることができる。また、オペレータの業務経験や担当業務等により、個別プロファイルＰｒ＿Ｉとして変更できる範囲を制限できる。
【００５２】
第２実施形態のプラント監視装置１Ｂによれば、各オペレータが使いやすい内容を個別プロファイルＰｒ＿Ｉとして設定することができ、その個別プロファイルＰｒ＿Ｉの設定範囲を制限することもできるので、効率良くプラントの監視を行うことができる。
【００５３】
次に、本発明の第５態様，第６態様にかかる実施形態（第３実施形態）を、図５により説明する。
第３実施形態のプラント監視装置１Ｃは、第１実施形態のプラント監視装置１Ａの各構成要素に加え、前記プロファイルが複数の装置に分散化され、それぞれの装置が個別にプロファイルＰｒを管理する場合に、オペレータの入力手段４０による要求により、自装置のプロファイル格納手段１１に格納されたプロファイルＰｒを他装置８９のプロファイル格納手段１９にコピーすることができる送信手段（コピー手段）２０９と、オペレータによる入力手段４０からの要求により、他装置８９のプロファイル格納手段１９に格納されたプロファイルを自装置のプロファイル格納手段１１にコピーすることができる受信手段（コピー手段）２１０とから構成されている。
【００５４】
このように構成された第３実施形態のプラント監視装置１Ｃにおいて、オペレータが入力手段４０から要求を行ったとき、送信手段２０９により自装置のプロファイル格納手段１１に格納されたプロファイルＰｒを他装置８９のプロファイル格納手段１９にコピーすることができる。また、オペレータによる入力手段４０からの要求により、受信手段２１０により他装置８９のプロファイル格納手段１９に格納されたプロファイルＰｒを自装置のプロファイル格納手段１１にコピーすることができる。
【００５５】
例えば、他装置８９の設定を自装置の設定内容と同一にすることができるので、全ての他装置の設定内容を同一にすることが容易となる。
例えば、他装置８９にて設定したプロファイルＰｒを自装置にコピーして使用することができる。
【００５６】
第３実施形態のプラント監視装置１Ｃによれば、複数の装置のプロファイルＰｒをコピーすることができるので、プロファイルＰｒの設定を容易にすることができる。
【００５７】
次に、本発明の第７態様にかかる実施形態（第４実施形態）を、図６により説明する。
【００５８】
第４実施形態のプラント監視装置１Ｄでは、基本構成部は、プラントデータ入力手段１００と、プロファイル格納手段１０と、プラント監視手段１０１と、入力手段４０と、出力手段４１と、エクスポート手段２０１と、インポート手段２０２と、マスタプロファイルベース個別プロファイル手段２１１とからなる。
【００５９】
プロファイルが複数の装置に分散化され、マスタプロファイル格納手段２０に格納したプロファイルをマスタプロファイルＰｒ＿Ｍ（システムに同一のプロファイル）として管理する場合に、マスタプロファイルベース個別プロファイル手段２１１は、オペレータによる入力手段４０からの要求により、マスタプロファイル格納手段２０に格納したマスタプロファイルＰｒ＿Ｍではなく、マスタプロファイルＰｒ＿Ｍをベースとし、各オペレータが使いやすい内容に個別プロファイルＰｒ＿Ｉを変更して個別プロファイル格納手段３０に設定することができる。
【００６０】
このように構成された第４実施形態において、マスタプロファイルＰｒ＿Ｍとして、システム全体でプロファイルを同一として管理する場合に、オペレータにより入力手段４０からの要求があったときは、マスタプロファイルベース個別プロファイル手段２１１は、マスタプロファイルＰｒ＿Ｍではなく、マスタプロファイルＰｒ＿Ｍをベースとし各オペレータが使いやすい内容に変更した個別プロファイルＰｒ＿Ｉをプロファイルとして設定することができる。
【００６１】
例えば、プラントを監視する目的毎（プラント状態等）に設定されたマスタプロファイルＰｒ＿Ｍをベースとして、オペレータの担当業務等により最適な設定の個別プロファイルＰｒ＿Ｉを作成し、これを個別プロファイル格納手段３０に設定することができる。
【００６２】
第４実施形態によれば、システム全体でプロファイルを同一として管理する場合（マスタプロファイルＰｒ＿Ｍを共通のプロファイルとしてシステム全体を管理する場合）に、各オペレータがおのおの使いやすいようにマスタプロファイルＰｒ＿Ｍを適宜変更してプロファイルの個別設定ができるので、効率良くプラントの監視をすることができる。
【００６３】
次に、本発明の第８態様，第９態様，第１０態様，第１１態様にかかる実施形態（第５実施形態）を、図７により説明する。
【００６４】
第５実施形態のプラント監視装置１Ｅは、第４実施形態のプラント監視装置１Ｄの各構成要素に、ベースチェック手段（本発明のマスタプロファイルチェック手段）２１２と、個人宛て通知手段２１３と、管理者宛て通知手段２１４と、マスタプロファイル変更通知手段２１５とが追加して構成されている。
【００６５】
ベースチェック手段２１２は、各オペレータが、個別プロファイルＰｒ＿Ｉを使用することでチェックインしたときに、運用中のマスタプロファイルＰｒ＿Ｍ１と、チェックインした個別プロファイルＰｒ＿ＩのベースとなっているマスタプロファイルＰｒ＿Ｍ２を、マスタプロファイル格納手段２０を参照してチェックすることができる。
【００６６】
個人宛て通知手段２１３は、運用中のマスタプロファイルＰｒ＿Ｍ１をベースとしていない個別プロファイルＰｒ＿Ｉでチェックインしたときに、オペレータに対し、通知する。管理者宛て通知手段２１４は、運用中のマスタプロファイルＰｒ＿Ｍ１をベースとしていない個別プロファイルＰｒ＿Ｉでチェックインしたときに、システムの管理者に対して通知する。マスタプロファイル変更通知手段２１５は、運用中のマスタプロファイルＰｒ＿Ｍ１が変更となったときに、個別プロファイルＰｒ＿Ｉでチェックインしているオペレータに対し通知する。
【００６７】
このように構成された第５実施形態のプラント監視装置１Ｅにおいては、ベースチェック手段２１２により、各オペレータが個別プロファイルＰｒ＿Ｉを使用することでチェックインしたときに、運用中のマスタプロファイルＰｒ＿Ｍ１と、チェックインした個別プロファイルＰｒ＿Ｉのベースとなっている、マスタプロファイルＰｒ＿Ｍ２をチェックすることができる。
【００６８】
また、運用中のマスタプロファイルＰｒ＿Ｍ１をベースとしていない個別プロファイルＰｒ＿Ｉでチェックインしたとき、個人宛て通知手段２１３によりオペレータに対し、通知することができる。また、運用中のマスタプロファイルＰｒ＿Ｍ１をベースとしていない個別プロファイルＰｒ＿Ｉでチェックインしたとき、管理者宛て通知手段２１４によりシステムの管理者に対し、通知することができる。また、運用中のマスタプロファイルＰｒ＿Ｍ１が変更となったときに、マスタプロファイル変更通知手段２１５により個別プロファイルＰｒ＿Ｉでチェックインしているオペレータに対し、通知することができる。
【００６９】
例えば、ベースとなっているマスタプロファイルＰｒ＿Ｍ２をチェックし、オペレータが誤った個別プロファイルＰｒ＿Ｉを使用していないかをチェックし、オペレータ、システムの管理者に通知することができる。
【００７０】
例えば、プラントを監視する目的毎（プラント状態等）に設定されたマスタプロファイルが変更となったとき、個別プロファイルＰｒ＿Ｉでチェックインしているオペレータに対し、通知することができる。
【００７１】
第５実施形態によれば、運用中のマスタプロファイルＰｒ＿Ｍ２をベースとしていない個別プロファイルＰｒ＿Ｉでチェックインしたとき、通知することができるので、誤った個別プロファイルであることを容易に確認することができる。また、運用中のマスタプロファイルＰｒ＿Ｍ１が変更となったとき、個別プロファイルＰｒ＿Ｉでチェックインしているオペレータに対し、変更を通知することができ、マスタプロファイルの変更を認識して個別プロファイル対応させることができるので、効率良くプラントの監視をすることができる。
【００７２】
【発明の効果】
本発明では、装置単体で、設定項目の保存・再設定を行うだけでなく、他装置の設定内容に合わせる等の作業が容易となる。
また、オペレータが各装置で設定するのではなく、まずどれかの装置で設定すれば、他の装置についてもプロファイルを合わせることができ、オペレータの操作が容易となる。
【図面の簡単な説明】
【図１】本発明の第１態様，第２態様のプラント監視装置にかかる実施形態（第１実施形態）を示す説明図である。
【図２】本発明の第３態様，第４態様のプラント監視装置にかかる実施形態（第２実施形態）を示す説明図である。
【図３】第２実施形態のプラント監視装置におけるプロファイル調整画面の画面例を示す図である。
【図４】図３のプロファイル調整画面において一括選択を指定した場合のプロファイル調整画面を示す図である。
【図５】本発明の第５態様，第６態様のプラント監視装置にかかる実施形態（第３実施形態）を示す説明図である。
【図６】本発明の第７態様のプラント監視装置にかかる実施形態（第４実施形態）を示す説明図である。
【図７】本発明の第８，９，１０，１１態様のプラント監視装置にかかる実施形態（第５実施形態）を示す説明図である。
【図８】従来のプラント監視装置を示す説明図である。
【符号の説明】
１Ａ，１Ｂ，１Ｃ，１Ｄ，１Ｅ  プラント監視装置
１０，１１，１２，１９  プロファイル格納手段
２０  マスタプロファイル格納手段
３０  個別プロファイル格納手段
４０  入力手段
４１  出力手段
６０  外部データ格納手段
７０  差分データ格納手段
８９  他装置
１００  プラントデータ入力手段
１０１  プラント監視手段
２０１  エクスポート手段
２０２  インポート手段
２０３  一覧出力手段
２０４  調整手段
２０５  マージ手段
２０６  差分抽出手段
２０７  個別プロファイル手段
２０８  個人認証手段
２０９  送信手段
２１０  受信手段
２１１  マスタプロファイルベース個別プロファイル手段
２１２  ベースチェック手段
２１３  個人宛て通知手段
２１４  管理者宛て通知手段
２１５  マスタプロファイル変更通知手段
３００，３０１  プロファイル調整画面
【図１】
2005044109.tif 000003
【図２】
2005044109.tif 000004
【図３】
2005044109.tif 000005
【図４】
2005044109.tif 000006
【図５】
2005044109.tif 000007
【図６】
2005044109.tif 000008
【図７】
2005044109.tif 000009
【図８】
2005044109.tif 000010